(57)【要約】【課題】感度レベルを定量的に決定可能な電波検知装置及び電波検知方法を提供することを課題とする。【解決手段】感度レベル決定部１４が、所定の電磁解析を行う数値計算法を用いて検知対象周波数に対する部屋の電界強度分布を計算し、所定の電界強度を有する領域が部屋の大きさに対して占める場所率を電界強度分布に含まれる各電界強度について計算して、カバー率に対応する電界強度を感度レベルとして決定する。【選択図】図１
2010054339.tif 000002
【特許請求の範囲】
【請求項１】
無線機から出力される電波を検知する電波検知装置において、
前記電波検知装置が設置される部屋の大きさと、前記部屋の空間的境界を形成する材料の反射係数及び大きさと、検知対象となる電波の検知対象周波数と、所望する電波検知のカバー率とを格納する格納手段と、
前記部屋の大きさと前記材料の反射係数及び大きさと前記検知対象周波数とを前記格納手段から読み出して、所定の電磁解析を行う数値計算法を用いて前記検知対象周波数に対する前記部屋の電界強度分布を計算し、所定の電界強度を有する領域が前記部屋の大きさに対して占める場所率を前記電界強度分布に含まれる各電界強度について計算して、当該場所率に相当する前記カバー率に対応する前記電界強度を感度レベルとして決定する感度レベル決定手段と、
を有することを特徴とする電波検知装置。
【請求項２】
前記材料に付されたＩＣタグに記録されている反射係数及び大きさを定期的に受信し、前記格納手段に格納されている反射係数及び大きさと比較し、一致しない場合に受信した反射係数及び大きさに随時書き換える手段を更に有することを特徴とする請求項１に記載の電波検知装置。
【請求項３】
無線機から出力される電波を検知する電波検知方法において、
前記電波検知装置が設置される部屋の大きさと、前記部屋の空間的境界を形成する材料の反射係数及び大きさと、検知対象となる電波の検知対象周波数と、所望する電波検知のカバー率とを格納手段に格納するステップと、
前記部屋の大きさと前記材料の反射係数及び大きさと前記検知対象周波数とを前記格納手段から読み出して、所定の電磁解析を行う数値計算法を用いて前記検知対象周波数に対する前記部屋の電界強度分布を計算し、所定の電界強度を有する領域が前記部屋の大きさに対して占める場所率を前記電界強度分布に含まれる各電界強度について計算して、当該場所率に相当する前記カバー率に対応する前記電界強度を感度レベルとして決定するステップと、
を有することを特徴とする電波検知方法。
【請求項４】
前記材料に付されたＩＣタグに記録されている反射係数及び大きさを定期的に受信し、前記格納手段に格納されている反射係数及び大きさと比較し、一致しない場合に受信した反射係数及び大きさに随時書き換えるステップを更に有することを特徴とする請求項３に記載の電波検知方法。
【発明の詳細な説明】
【技術分野】
【０００１】
本発明は、無線機からの電波を検出する電波検知装置及び電波検知方法の技術に関する。
【背景技術】
【０００２】
近年、第２世代ディジタルコードレス電話システムや携帯電話のように無線機を用いた移動通信システムが多用されている。このような無線機は、通信エリア内であれば場所を問わずいつでも利用可能な利便性をユーザに提供するが、医療等の電子機器の近傍で使用された際に該電子機器に対して誤差動を生じさせるという問題がある。
【０００３】
そこで、無線機が電子機器の近くで使用されると警報を発する検知器（以降、「電波検知装置」と称する）が考案されている（特許文献１参照）。この種の装置は、無線機から発せられる電波に起因する電子機器の誤動作を未然に防ぐために非常に重要であり、特に病院や精密機械を使用している施設内で必要とされている。
【０００４】
ここで、従来の電波検知装置の構成及び動作について簡単に説明する。図７は、従来の電波検知装置の機能ブロックを示す構成図である。この電波検知装置１００は、受信部２１と、受信レベル判定部２２と、トリガレベル設定部２３と、トリガ発生部２４と、発信回路部２５と、警報部２６とを備えている。無線機３００から放射された電波は、受信部２１で受信されて電気信号に変換される。受信レベル判定部２２は、受信部２１で受信した電波の受信レベルとトリガレベル設定部２３で設定されたトリガレベルとを比較し、受信レベルがトリガレベル以上の場合に、トリガ信号を発生するようにトリガ発生部２４に通知する。通知を受けたトリガ発生部２４からトリガ信号を受け取った発信回路部２５は、一定時間鳴動させる信号を警報部２６に出力する。そして、警報部２６は、発信回路部２５から出力された信号に基づいて警報音等を発生する。
【０００５】
このような電波検知装置を電子機器自身や電子機器の近傍に設置し、トリガレベルを適切に設定することで、無線機が電子機器の近くで利用された場合に、警報音を鳴動して周囲に知らしめることができる。
【０００６】
なお、電波の受信レベル及び設定されたトリガレベルは、実際には電界強度（ｄＢμＶ／ｍ）を単位とするものである。また、トリガ信号を発生させる基準であるため「トリガレベル」と称したが、検知した電波の電界強度を判定する基準としての電波検知装置の感度レベルと言い換えることも可能なので、以降では、「トリガレベル」を「感度レベル」と称することとする。
【特許文献１】特開平１０−２３２９８７号公報
【発明の開示】
【発明が解決しようとする課題】
【０００７】
しかしながら、無線機から発生する電界強度は電波検知装置が設置される部屋の大きさ等に応じて変化するため、実際に設置部屋で電界強度分布を測定しなければならないなど、感度レベルを定量的に設定することが困難であって多くの労力を必要とするという問題があった。
【０００８】
本発明は、上記に鑑みてなされたものであり、感度レベルを定量的に決定可能な電波検知装置及び電波検知方法を提供することを課題とする。
【課題を解決するための手段】
【０００９】
請求項１に記載の本発明は、無線機から出力される電波を検知する電波検知装置において、前記電波検知装置が設置される部屋の大きさと、前記部屋の空間的境界を形成する材料の反射係数及び大きさと、検知対象となる電波の検知対象周波数と、所望する電波検知のカバー率とを格納する格納手段と、前記部屋の大きさと前記材料の反射係数及び大きさと前記検知対象周波数とを前記格納手段から読み出して、所定の電磁解析を行う数値計算法を用いて前記検知対象周波数に対する前記部屋の電界強度分布を計算し、所定の電界強度を有する領域が前記部屋の大きさに対して占める場所率を前記電界強度分布に含まれる各電界強度について計算して、当該場所率に相当する前記カバー率に対応する前記電界強度を感度レベルとして決定する感度レベル決定手段と、を有することを要旨とする。
【００１０】
本発明にあっては、所定の電磁解析を行う数値計算法を用いて検知対象周波数に対する部屋の電界強度分布を計算し、所定の電界強度を有する領域が部屋の大きさに対して占める場所率を電界強度分布に含まれる各電界強度について計算して、この場所率に相当するカバー率に対応する電界強度を感度レベルとして決定するため、ユーザが所望するカバー率に応じた感度レベルを定量的かつ容易に決定することができる。
【００１１】
請求項２に記載の本発明は、前記材料に付されたＩＣタグに記録されている反射係数及び大きさを定期的に受信し、前記格納手段に格納されている反射係数及び大きさと比較し、一致しない場合に受信した反射係数及び大きさに随時書き換える手段を更に有することを要旨とする。
【００１２】
本発明にあっては、材料に付されたＩＣタグに記録されている反射係数及び大きさを定期的に受信し、格納手段に格納されている反射係数及び大きさと比較し、一致しない場合に受信した反射係数及び大きさに随時書き換えるため、材料の変更に伴うＩＣタグに記録される反射係数及び大きさが更新された場合であっても、更新後の情報に基づいて適切な感度レベルを決定することが可能となる。
【００１３】
請求項３に記載の本発明は、無線機から出力される電波を検知する電波検知方法において、前記電波検知装置が設置される部屋の大きさと、前記部屋の空間的境界を形成する材料の反射係数及び大きさと、検知対象となる電波の検知対象周波数と、所望する電波検知のカバー率とを格納手段に格納するステップと、前記部屋の大きさと前記材料の反射係数及び大きさと前記検知対象周波数とを前記格納手段から読み出して、所定の電磁解析を行う数値計算法を用いて前記検知対象周波数に対する前記部屋の電界強度分布を計算し、所定の電界強度を有する領域が前記部屋の大きさに対して占める場所率を前記電界強度分布に含まれる各電界強度について計算して、当該場所率に相当する前記カバー率に対応する前記電界強度を感度レベルとして決定するステップと、を有することを要旨とする。
【００１４】
請求項４に記載の本発明は、前記材料に付されたＩＣタグに記録されている反射係数及び大きさを定期的に受信し、前記格納手段に格納されている反射係数及び大きさと比較し、一致しない場合に受信した反射係数及び大きさに随時書き換えるステップを更に有することを要旨とする。
【発明の効果】
【００１５】
本発明によれば、感度レベルを定量的に決定可能な電波検知装置及び電波検知方法を提供することができる。
【発明を実施するための最良の形態】
【００１６】
以下、本発明の実施の形態について図面を用いて説明する。
【００１７】
本実施の形態における電波検知装置は、例えば病院等の室内に設置され、この室内において無線機から放射する電波を検知し、同じ部屋に居る病院関係者等や遠隔地で管理している管理者等に警報する機能を備えている。
【００１８】
図１は、本実施の形態における電波検知装置の機能ブロックを示す構成図である。この電波検知装置１００は、室内に設置されたパーティション４００のＩＣタグ情報を取得するＩＣタグ用受信センサ１１と、室内の状況を監視する監視部１２と、感度レベルを決定するためのパラメータを投入するパラメータ投入部１３と、投入されたパラメータを用いて感度レベルを決定する感度レベル決定部１４と、室内で利用される携帯無線機３００の電波を受信する携帯無線機用受信センサ１５と、受信した電波の受信レベルと決定された感度レベルとを比較判定する受信レベル判定部１６と、携帯無線機３００の電波を検知したことを警報する警報部１７と、パラメータ投入部１３で投入されたパラメータを格納しておく格納部１８とを備えている。また、この電波検知装置１００は、通信ネットワーク５００を介して遠隔監視装置２００に接続されている。
【００１９】
ＩＣタグ用受信センサ１１は、部屋内の領域に対して電波の電界強度分布に影響を与えるような空間的境界を形成する材料に付されたＩＣタグに記録されている情報を定期的に受信し、受信信号として監視部１２に随時送信する機能を有している。ＩＣタグ情報としては、例えば材料の反射係数，材料の大きさ，材料の設置場所，誘電率，透磁率，導電率等の材料固有の情報が格納されている。このような材料としては、例えば室内に設置されたパーティションや机等の什器を一例に挙げることができる。なお、本実施の形態では、上記材料の一例としてパーティション４００を用いて以下説明を行なうものとする。
【００２０】
監視部１２は、ＩＣタグ用受信センサ１１から送信される受信信号の有無をパラメータ投入部１３に通知すると共に、送信された受信信号を格納部１８に格納する機能を有している。具体的には、受信信号の有無を判別し、受信信号（ＩＣタグ情報）が有る場合には、受信信号のＩＣタグ情報が有ることをパラメータ投入部１３に通知すると共に受信信号を格納部１８に格納し、受信信号（ＩＣタグ情報）が無い場合には、受信信号のＩＣタグ情報が無いことをパラメータ投入部１３に通知する。また、監視部１２は、ＩＣタグ用受信センサ１１で定期的に受信したＩＣタグ情報を随時受信するため、新たに受信したＩＣタグ情報と既に格納部１８に格納しているＩＣタグ情報と比較して、一致しない場合に、新たに受信したＩＣタグ情報に更新する機能を有している。
【００２１】
パラメータ投入部１３は、パラメータ投入画面をユーザに提示し、入力された情報を格納部１８に格納する機能を有している。具体的には、監視部１２からＩＣタグ情報があることを通知された場合には、部屋の寸法（大きさ）と、検知する携帯無線機３００の無線出力情報（検知対象周波数）と、場所率とを入力する画面を提示し、入力された各データを格納部１８に格納する。また、監視部１２からＩＣタグ情報が無いことを通知された場合には、部屋の寸法と、検知する携帯無線機３００の無線出力情報（検知対象周波数）と、場所率とに加えて、ＩＣタグ情報としてのパーティション４００の反射係数，大きさ，誘電率，透磁率，導電率を入力する画面を提示し、入力された各データを格納部１８に格納する。
【００２２】
ここで、場所率とは、所定の電界強度を有する領域が部屋面積に対してどれだけの面積を占めているかを割合とするものである。なお、ユーザにより入力される上記場所率とは、同時に入力される検知対象周波数の電波に対してユーザが所望する電波検知のカバー率（検知感度）を意味している。
【００２３】
感度レベル決定部１４は、格納部１８に格納されている各データを読み出して、一般的に知られた電磁解析を行う数値計算法を用いて部屋の電界強度分布を計算し、計算された電界強度分布から任意の電界強度に対する場所率を計算して、パラメータ投入部１３で投入された場所率（カバー率）に対応する電界強度を感度レベルとして決定する機能を有する。
【００２４】
具体的には、感度レベル決定部１４は、場所率以外のパラメータ、即ち、部屋の寸法と、検知対象周波数と、パーティション４００の反射係数及び大きさとを用いて、有限差分時間法（Finite-Difference Time-Domain Method：ＦＤ−ＴＤ法）等の数値計算法により、検知対象周波数に対する１セルあたりの電界強度を各セルごとに計算する。例えば、検知対象周波数を８００ＭＨｚとし、部屋の寸法が８ｍ×９ｍである場合、図２に示すような電界強度分布が算出されることになる。なお、上記セルとは、検知対象周波数を波長に変換し、この波長の１／１０の長さで部屋を格子状に区切ったときの１つのエリアである。
【００２５】
そして、感度レベル決定部１４は、算出した電界強度分布に含まれる任意の電界強度のセル総面積が部屋面積に対してどの程度かについての場所率を計算する。例えば、１００ｄＢμＶ／ｍの電界強度のセル総面積の割合が６０％であれば、この電界強度の場所率は６０％ということになる。同様に電界強度分布に含まれる全ての電界強度に対する場所率を計算することで、図３に示すような電界強度と場所率との関係を求めることが可能となる。
【００２６】
最後に、感度レベル決定部１４は、例えば、部屋の６０％をカバーできる程度の感度が必要であるとしてパラメータ投入部１３で投入された場所率（カバー率）が６０％である場合には、図３に示す関係性を用いて場所率６０％に対応する１００ｄＢμＶ／ｍを感度レベルとして決定する。
【００２７】
携帯無線機用受信センサ１５は、携帯無線機３００から放射された電波を受信して電気信号に変換し、受信レベル判定部１６に送信する機能を有する。この携帯無線機受信センサとしては、例えばアンテナを用いることが考えられる。
【００２８】
受信レベル判定部１６は、携帯無線機用受信センサ１５で受信した電波の受信レベルと、感度レベル決定部１４で決定された感度レベルとを比較し、受信レベルが感度レベル以上の場合に、一定時間鳴動させる信号を警報部１７に出力、及び／又は、携帯無線機３００の存在を通知する信号を遠隔監視装置２００に送信する機能を有する。
【００２９】
警報部１７は、受信レベル判定部１６から出力された信号に基づいて警報音等を発生し、同じ部屋に居る病院関係者等に警報する機能を有する。
【００３０】
遠隔監視装置２００は、受信レベル判定部１６から送信された信号に基づいて携帯無線機３００の存在を遠隔地で管理している管理者等に警報する機能を備えている。
【００３１】
なお、部屋の寸法やパーティション４００の反射係数及び大きさを入力させることとして説明したが、予めいくつかの情報をデータベース化しておき、その情報の中から選択させるようにすることも可能である。
【００３２】
また、セルの１辺長さを上記波長の１／１０としたが、１／１０に限定されることはなく、例えば１／１５や１／２０であってもよく、パラメータ投入部１３での画面で波長の分解能としてユーザに選択させることも可能である。
【００３３】
さらに、検知対象周波数を８００ＭＨｚとして説明したが、１．９ＧＨｚやその他の周波数であっても同様の効果を得ることができることは言うまでも無い。
【００３４】
次に、本実施の形態における電波検知装置の処理動作について説明する。図４は、電波検知装置の処理動作を示すフローである。最初に、ＩＣタグ用受信センサ１１が、パーティション４００に付されたＩＣタグの情報を受信し、受信信号として監視部に送信する（ステップＳ１０１）。なお、ＩＣタグ情報には、パーティション４００の反射係数及び大きさが含まれている。
【００３５】
次に、監視部１２が、ＩＣタグ用受信センサ１１からの受信信号（ＩＣタグ情報）の有無を判別し、受信信号（ＩＣタグ情報）が有る場合には、受信信号のＩＣタグ情報が有ることをパラメータ投入部１３に通知すると共に格納部１８に格納し、受信信号（ＩＣタグ情報）が無い場合には、受信信号のＩＣタグ情報が無いことをパラメータ投入部１３に通知する（ステップＳ１０２）。
【００３６】
続いて、パラメータ投入部１３が、監視部１２からＩＣタグ情報が有ることを通知された場合には、部屋の寸法と、検知対象周波数と、場所率（カバー率）とを入力する画面を提示し、入力された各データを格納部１８に格納する（ステップＳ１０３ａ）。一方、監視部１２からＩＣタグ情報が無いことを通知された場合には、部屋の寸法と、検知対象周波数と、場所率（カバー率）と、パーティション４００の反射係数及び大きさとを入力する画面を提示し、入力された各データを格納部１８に格納する（ステップＳ１０３ｂ）。
【００３７】
その後、感度レベル決定部１４が、部屋の寸法と、検知対象周波数と、パーティション４００の反射係数及び大きさとを格納部１８から読み出して、有限差分時間法を用いて部屋の電界強度分布を計算する（ステップＳ１０４）。
【００３８】
また、感度レベル決定部１４は、ステップＳ１０４で計算された電界強度分布かを用いて、任意の電界強度に対する場所率を計算する（ステップＳ１０５）。
【００３９】
最後に、感度レベル決定部１４は、格納部１８に格納された場所率（カバー率）に対応する電界強度を感度レベルとして決定する（ステップＳ１０６）。
【００４０】
続いて、本実施の形態における電波検知装置の他の処理動作について説明する。パーティション４００の材質や大きさが変更された際にはＩＣタグ情報が変更されるため、ＩＣタグ情報に変更があった場合でも自動で適切に感度レベルを決定する必要がある。また、パーティション４００が撤去された場合であっても、自動で適切に感度レベルを決定する必要がある。その場合の処理動作について説明する。図５は、電波検知装置の他の処理動作を示すフローである。なお、格納部１８には、既にパーティション４００の反射係数及び大きさが格納されているものとする。
【００４１】
最初に、ＩＣタグ用受信センサ１１が、パーティション４００に付されたＩＣタグの情報を定期的に受信し、受信信号として監視部に随時送信する（ステップＳ２０１）。なお、ＩＣタグ情報には、パーティション４００の反射係数及び大きさが含まれている。
【００４２】
次に、監視部１２が、ＩＣタグ用受信センサ１１からの受信信号（ＩＣタグ情報）の有無を判別し、受信信号（ＩＣタグ情報）が有る場合には、受信信号のＩＣタグ情報が有ることをパラメータ投入部１３に通知し、受信信号（ＩＣタグ情報）が無い場合には、受信信号のＩＣタグ情報が無いことをパラメータ投入部１３に通知する（ステップＳ２０２）。
【００４３】
ステップＳ２０２の判別で受信信号（ＩＣタグ情報）が有る場合には、監視部１２は、受信したＩＣタグ情報と既に格納部１８に格納しているＩＣタグ情報とを比較する（ステップＳ２０３）。
【００４４】
ステップＳ２０３の比較で一致しない場合には部屋の構成が変更されたことになるため、監視部１２は、新たに受信したＩＣタグ情報を用いて格納部１８のＩＣタグ情報を更新（書き換え）する（ステップＳ２０４）。
【００４５】
続いて、パラメータ投入部１３が、監視部１２からＩＣタグ情報が有ることを通知された場合には、部屋の寸法と、検知対象周波数と、場所率（カバー率）とを入力する画面を提示し、入力された各データを格納部１８に格納する（ステップＳ２０５ａ）。一方、監視部１２からＩＣタグ情報が無いことを通知された場合には、部屋の寸法と、検知対象周波数と、場所率（カバー率）と、パーティション４００の反射係数及び大きさとを入力する画面を提示し、入力された各データを格納部１８に格納する（ステップＳ２０５ｂ）。
【００４６】
その後、感度レベル決定部１４が、部屋の寸法と、検知対象周波数と、パーティション４００の更新後の反射係数及び大きさとを格納部１８から読み出して、有限差分時間法を用いて部屋の電界強度分布を計算する（ステップＳ２０６）。
【００４７】
また、感度レベル決定部１４は、ステップＳ２０６で計算された電界強度分布を用いて、任意の電界強度に対する場所率を計算する（ステップＳ２０７）。
【００４８】
最後に、感度レベル決定部１４は、格納部１８に格納された場所率（カバー率）に対応する電界強度を感度レベルとして決定する（ステップＳ２０８）。
【００４９】
上記処理動作によれば、受信したＩＣタグ情報と既に格納部１８に格納しているＩＣタグ情報とを比較し、一致しない場合には新たに受信したＩＣタグ情報を用いて格納部１８のＩＣタグ情報を更新するので、更新後のＩＣタグ情報に基づく適切な感度レベルを決定することが可能となる。
【００５０】
なお、監視部１２は、ＩＣタグ用受信センサ１１からの受信信号（ＩＣタグ情報）を一定時間に受信しない場合にはパーティション４００が撤去されたものとみなし、感度レベル決定部１４は、パーティションが無い状態（即ち、パーティション４００の反射係数及び大きさを０（零））として電界強度分布を再計算することも可能である。
【００５１】
図６は、パラメータ投入画面を示す図である。検知対象となる無線機の情報、部屋の情報、場所率（カバー率）、無線機の波長の分解能等を選択することができる。特に、部屋に遮蔽物がある場合には同図の右側のような部屋の構成を作成するための画面が表示され、入力された部屋の大きさに合わせた部屋が擬似的に表示される。そして、表示された部屋内にパーティション等の遮蔽物を適宜作成す（プロット）ることが可能となる。遮蔽物がプロットされた場合にはプロパティが表示され、その遮蔽物の材質情報（誘電率、透磁率、導電率、反射係数）や大きさを入力することが可能となる。なお、電波検知装置１００にＩＣタグ情報が既に送信されている場合には、材質情報や大きさが既に入力された状態で出力することも可能である。
【００５２】
本実施の形態によれば、感度レベル決定部１４が、所定の電磁解析を行う数値計算法を用いて検知対象周波数に対する部屋の電界強度分布を計算し、所定の電界強度を有する領域が部屋の大きさに対して占める場所率を電界強度分布に含まれる各電界強度について計算して、カバー率に対応する電界強度を感度レベルとして決定するので、ユーザが所望するカバー率に応じた感度レベルを定量的かつ容易に決定することができる。
【００５３】
本実施の形態によれば、監視部１２が、パーティション４００に付されたＩＣタグに記録されている反射係数及び大きさを定期的に受信し、格納部１８に格納されている反射係数及び大きさと比較し、一致しない場合に受信した反射係数及び大きさに随時書き換えるので、パーティション４００の変更に伴うＩＣタグに記録される反射係数及び大きさが更新された場合であっても、更新後の情報に基づいて適切な感度レベルを決定することが可能となる。
【００５４】
最後に、本実施の形態で説明した電波検知装置１００は、コンピュータで構成され、各機能ブロックの各処理はプログラムで実行されるようになっている。また、本実施の形態で説明した電波検知装置１００の各動作をプログラムとして例えばＣＤ（Compact Disk）やＦＤ（Floppy（登録商標） Disk）等の記録媒体に記録して、この記録媒体をコンピュータに組み込んだり、若しくは記録媒体に記録されたプログラムを、任意の通信回線を介してコンピュータにダウンロードしたり、又は記録媒体からインストールし、該プログラムでコンピュータを動作させることにより、上述した各処理を電波検知装置１００として機能させることができるのは勿論である。また、このような記録媒体を用いることにより、その流通性を高めることが可能となることも付言しておく。
【図面の簡単な説明】
【００５５】
【図１】本実施の形態における電波検知装置の機能ブロックを示す構成図である。
【図２】電界強度分布の一例を示す図である。
【図３】電界強度と場所率との関係を示す図である。
【図４】電波検知装置の処理動作を示すフローである。
【図５】電波検知装置の他の処理動作を示すフローである。
【図６】パラメータ投入画面を示す図である。
【図７】従来の電波検知装置の機能ブロックを示す構成図である。
【符号の説明】
【００５６】
１１…ＩＣタグ用受信センサ
１２…監視部
１３…パラメータ投入部
１４…感度レベル決定部
１５…携帯無線機用受信センサ
１６…受信レベル判定部
１７…警報部
１８…格納部
２１…受信部
２２…受信レベル判定部
２３…トリガレベル設定部
２４…トリガ発生部
２５…発信回路部
２６…警報部
１００…電波検知装置
２００…遠隔監視装置
３００…携帯無線機
４００…パーティション
５００…通信ネットワーク
Ｓ１０１〜Ｓ１０６，Ｓ２０１〜Ｓ２０８…ステップ
【図１】
2010054339.tif 000003
【図２】
2010054339.tif 000004
【図３】
2010054339.tif 000005
【図４】
2010054339.tif 000006
【図５】
2010054339.tif 000007
【図６】
2010054339.tif 000008
【図７】
2010054339.tif 000009